(57)【特許請求の範囲】
【請求項１】
原子炉格納容器の側面に配置されるトンネル部と、該トンネル部の内側の開口を塞ぐハッチカバーと、該ハッチカバーの開放時に前記原子炉格納容器内のフロアに架設されるテンポラリーブリッジと、を有する原子炉格納容器のハッチ構造において、
前記テンポラリーブリッジに回動可能に連結された第一ヒンジ部と、前記トンネル部に回動可能に連結された第二ヒンジ部と、を有するリンク部材と、
架設された前記テンポラリーブリッジを前記トンネル部側に折り畳んで横倒しにする途中で前記第二ヒンジ部の回動を拘束するロック機構と、
を有することを特徴とする原子炉格納容器のハッチ構造。
【請求項２】
前記ロック機構は、前記トンネル部に形成された挿通孔と、該挿通孔に挿通されるロックピンと、を有し、前記ロックピンに前記リンク部材を係止させるように構成されている、ことを特徴とする請求項１に記載の原子炉格納容器のハッチ構造。
【請求項３】
前記挿通孔は、前記リンク部材の回動角度が４５〜９０度の範囲内に収まる位置に形成されている、ことを特徴とする請求項２に記載の原子炉格納容器のハッチ構造。
【請求項４】
前記トンネル部の天井部に配置されたチェーンブロックと、該チェーンブロックに掛け回されるとともに一端が前記テンポラリーブリッジの先端部に接続され他端に操作部を有するチェーンと、を備えた揚重手段を有する、ことを特徴とする請求項１に記載の原子炉格納容器のハッチ構造。
【請求項５】
前記揚重手段は、前記テンポラリーブリッジの収容時には前記チェーンの緊張を解いた状態で放置され、前記テンポラリーブリッジの架設時には前記テンポラリーブリッジから取り外し可能に構成されている、ことを特徴とする請求項４に記載の原子炉格納容器のハッチ構造。
【発明の詳細な説明】
【技術分野】
【０００１】
本発明は、原子炉格納容器のハッチ構造に関し、特に、テンポラリーブリッジを容易に収容可能な原子炉格納容器のハッチ構造に関する。
【背景技術】
【０００２】
現在、最も普及している原子炉は、減速材及び冷却材に通常の水を使用した軽水炉であり、軽水炉には、加圧水型（Pressurized Water Rector）と沸騰水型（Boiling Water Rector）の二種類がある。例えば、加圧水型原子炉（ＰＷＲ）は、核分裂反応によって生じた熱エネルギーにより、一次冷却材である加圧水を３００℃以上に熱して蒸気発生器に供給し、該蒸気発生器から発生した二次冷却材である軽水（高温高圧蒸気）によりタービン発電機を回転させて発電する方式である（例えば、特許文献１参照）。
【０００３】
例えば、特許文献１に記載された加圧水型原子炉（ＰＷＲ）の原子炉格納容器内には、炉心を形成する原子炉圧力容器、一次冷却系側（炉心）で発生した熱を二次冷却系側に伝達させる熱交換器を構成する蒸気発生器、炉心に直接注水可能な静的非常用炉心冷却系（安全注入系）を構成する炉心補給水タンク、蓄圧注入系タンク、燃料取替用水等の機器が配置される。なお、原子炉格納容器の外側には原子炉建屋が配置される。
【０００４】
ここで、原子炉格納容器は、内部の放射性物質を外部に漏らさないようにするための容器であり、一般に、円筒形状の胴部と該胴部の上部に配置されるドーム状屋根部とにより構成される。また、原子炉格納容器には、人が出入りするためのハッチの他に、原子炉格納容器内に大型の機器等を搬入するための大口径ハッチが設けられることが多い（例えば、特許文献２参照）。
【０００５】
かかる大口径ハッチは、原子炉格納容器の側面に配置される円筒形状のトンネル部と、該トンネル部の内側の開口を塞ぐ鏡板（ハッチカバー）と、機器搬入時に使用されるテンポラリーブリッジと、を有する。テンポラリーブリッジは、トンネル部と原子炉格納容器内に敷設されたフロアとの間に隙間が空いている場合に必要となる。このテンポラリーブリッジは、数トンの重量を有することから、機器搬入時に外部から移動して架設することは無駄が多い。そこで、トンネル部にリンク機構を介して配置し、テンポラリーブリッジを回動させることによって、架設できるように構成される。そして、テンポラリーブリッジの収容時には、床面の段差部や鏡板に立て掛けたり、特許文献２に記載されたように、折り畳んで床面に横倒しにしたりするようにしている。
【先行技術文献】
【特許文献】
【０００６】
【特許文献１】特開２０１０−８５２８２号公報
【特許文献２】特開２０１０−２８１７９５号公報
【発明の概要】
【発明が解決しようとする課題】
【０００７】
しかしながら、鏡板（ハッチカバー）を原子炉格納容器の内側から開閉する場合には、原子炉格納容器の外側に傾倒させてテンポラリーブリッジを立て掛ける収容方法では、立て掛けたテンポラリーブリッジを固定する方法がなく、振動等の外力によってテンポラリーブリッジが傾倒し、鏡板（ハッチカバー）を損傷させてしまう等の問題があった。
【０００８】
また、特許文献２に記載されたように、テンポラリーブリッジを折り畳んで床面に横倒しにすれば、外力によって倒れる心配はないものの、数トンもの重量を有するテンポラリーブリッジを１８０度回動させて収容したり架設したりすることは困難な作業であるところ、特許文献２には詳細な説明がなされていない。
【０００９】
本発明は、上述した問題点に鑑み創案されたものであり、テンポラリーブリッジの収容時における傾倒を防止することができるとともに、架設及び収容を容易に行うことができる、原子炉格納容器のハッチ構造を提供することを目的とする。
【課題を解決するための手段】
【００１０】
本発明によれば、原子炉格納容器の側面に配置されるトンネル部と、該トンネル部の内側の開口を塞ぐハッチカバーと、該ハッチカバーの開放時に前記原子炉格納容器内のフロアに架設されるテンポラリーブリッジと、を有する原子炉格納容器のハッチ構造において、前記テンポラリーブリッジに回動可能に連結された第一ヒンジ部と、前記トンネル部に回動可能に連結された第二ヒンジ部と、を有するリンク部材と、架設された前記テンポラリーブリッジを前記トンネル部側に折り畳んで横倒しにする途中で前記第二ヒンジ部の回動を拘束するロック機構と、を有することを特徴とする原子炉格納容器のハッチ構造が提供される。
【００１１】
前記ロック機構は、前記トンネル部に形成された挿通孔と、該挿通孔に挿通されるロックピンと、を有し、前記ロックピンに前記リンク部材を係止させるように構成されていてもよい。さらに、前記挿通孔は、例えば、前記リンク部材の回動角度が４５〜９０度の範囲内に収まる位置に形成される。
【００１２】
前記トンネル部の天井部に配置されたチェーンブロックと、該チェーンブロックに掛け回されるとともに一端が前記テンポラリーブリッジの先端部に接続され他端に操作部を有するチェーンと、を備えた揚重手段を有していてもよい。
【００１３】
前記揚重手段は、前記テンポラリーブリッジの収容時には前記チェーンの緊張を解いた状態で放置され、前記テンポラリーブリッジの架設時には前記テンポラリーブリッジから取り外し可能に構成されていてもよい。
【発明の効果】
【００１４】
上述した本発明に係る原子炉格納容器のハッチ構造によれば、二つのヒンジ部を有するリンク部材を介してトンネル部とテンポラリーブリッジとを接続した場合であっても、ロック機構を配置することにより、一方のヒンジ部を拘束することができ、テンポラリーブリッジを他方のヒンジ部を基準にして容易に折り畳むことができ、テンポラリーブリッジをトンネル部の床面上に横倒しすることができる。したがって、テンポラリーブリッジの収容時における傾倒を防止することができるとともに、テンポラリーブリッジの収容を容易に行うことができる。
【００１５】
また、テンポラリーブリッジの架設及び収容を行う揚重手段を配置して、テンポラリーブリッジの収容時にはチェーンの緊張を解いた状態で放置し、テンポラリーブリッジの架設時にはテンポラリーブリッジから取り外し可能に構成することにより、テンポラリーブリッジが重量物の場合であっても、テンポラリーブリッジの架設及び収容を容易に行うことができる。
【図面の簡単な説明】
【００１６】
【図１】本発明の第一実施形態に係る原子炉格納容器のハッチ構造を備えた原子炉を示す全体構成図である。
【図２】図１に示したハッチ構造を示す図であり、（ａ）は断面図、（ｂ）は部分平面図、である。
【図３】テンポラリーブリッジのロック状態を示す図であり、（ａ）は第一実施形態、（ｂ）に変形例、を示している。
【図４】テンポラリーブリッジの収容手順を示す図であり、（ａ）は第一工程、（ｂ）は第二工程、（ｃ）は第三工程、（ｄ）は第四工程、（ｅ）は第五工程、を示している。
【図５】テンポラリーブリッジの架設手順を示す図であり、（ａ）は第一工程、（ｂ）は第二工程、（ｃ）は第三工程、（ｄ）は第四工程、（ｅ）は第五工程、を示している。
【発明を実施するための形態】
【００１７】
以下、本発明の実施形態について図１〜図５を用いて説明する。ここで、図１は、本発明の第一実施形態に係る原子炉格納容器のハッチ構造を備えた原子炉を示す全体構成図である。図２は、図１に示したハッチ構造を示す図であり、（ａ）は側面図、（ｂ）は部分平面図、である。図３は、テンポラリーブリッジのロック状態を示す図であり、（ａ）は第一実施形態、（ｂ）に変形例、を示している。
【００１８】
本発明の第一実施形態に係る原子炉格納容器１０のハッチ１（ハッチ構造）は、図１〜図３に示したように、原子炉格納容器１０の側面に配置されるトンネル部１１と、トンネル部１１の内側の開口を塞ぐハッチカバー１２と、ハッチカバー１２の開放時に原子炉格納容器１０内のフロア１０ｆに架設されるテンポラリーブリッジ１３と、を有し、テンポラリーブリッジ１３に回動可能に連結された第一ヒンジ部２１と、トンネル部１１に回動可能に連結された第二ヒンジ部２２と、を有するリンク部材２と、架設されたテンポラリーブリッジ１３をトンネル部１１側に折り畳んで横倒しにする途中で第二ヒンジ部２２の回動を拘束するロック機構３と、を有する。
【００１９】
原子炉９は、例えば、図１に示したように、加圧水型原子炉（ＰＷＲ）であって、原子炉格納容器１０内には、炉心を形成する原子炉圧力容器９１、一次冷却系側（炉心）で発生した熱を二次冷却系側に伝達させる熱交換器を構成する蒸気発生器９２、炉心に直接注水可能な静的非常用炉心冷却系（安全注入系）を構成する炉心補給水タンク９３、蓄圧注入系タンク９４、燃料取替用水タンク９５等の機器が配置される。また、原子炉格納容器１０の外側には、原子炉建屋９６が建造されており、原子炉格納容器１０と原子炉建屋９６との間には原子炉格納容器１０を空冷する冷却流路を形成するバッフルプレート９７が配置されている。
【００２０】
原子炉格納容器１０は、一般に、円筒形状の胴部１０ａと、胴部１０ａの上部に配置されるドーム状屋根部１０ｂと、により構成される。また、原子炉建屋９６は、原子炉格納容器１０を遮蔽壁によって囲う構造体である。原子炉建屋９６は、側部に複数の吸気口９６ａを有し、頂部に排気口９６ｂを有する。また、排気口９６ｂの外周には、貯水槽９６ｃが形成されており、貯水槽９６ｃ内の水は散水管９６ｄより、原子炉格納容器１０のドーム状屋根部１０ｂ上に滴下される。散水管９６ｄから滴下された水は、気化熱により原子炉格納容器１０から熱を奪い、蒸発して排気口９６ｂから外気に排気される。
【００２１】
上述した原子炉９では、高温の原子炉格納容器１０との間で熱交換して高温となった空気（冷却風）は、バッフルプレート９７の内側の冷却流路に沿って上昇気流となり、排気口９６ｂから外部に順次排気されるとともに、吸気口９６ａから吸気されバッフルプレート９７の外側の冷却流路を下降した空気（冷却風）は、内側の冷却流路に自然に流れ込むこととなる。したがって、バッフルプレート９７を備えた原子炉９では、自然対流によって、空気（冷却風）を吸気口９６ａから吸気して排気口９６ｂから排気することにより、原子炉格納容器１０を冷却することができる。
【００２２】
上述したように原子炉格納容器１０内には種々の機器が配置されることから、建造時やメンテナンス時には種々の機器を内部に搬入する必要があり、原子炉格納容器１０の胴部１０ａの側面部には搬入通路を構成するハッチ１が配置される。図１では、胴部１０ａの側面部の一箇所にハッチ１を配置した場合を図示したが、かかる構成に限定されるものではなく、周上に複数のハッチ１を配置するようにしてもよいし、高さ方向に複数のハッチ１を配置するようにしてもよい。
【００２３】
ハッチ１は、図１及び図２（ａ）に示したように、原子炉格納容器１０の側面に配置されるトンネル部１１と、トンネル部１１の内側の開口を塞ぐハッチカバー１２と、を有している。トンネル部１１は、略円筒形状の外形を有する本体部１１ａと、本体部１１ａの外周面に形成されたフランジ部１１ｂと、本体部１１ａ内に形成された床構造体１１ｃと、を有している。トンネル部１１は、フランジ部１１ｂを原子炉格納容器１０に固定することによって、原子炉格納容器１０に取り付けられる。なお、図２（ａ）において、テンポラリーブリッジ１３を収容した状態を実線で図示し、テンポラリーブリッジ１３を架設した状態を破線で図示している。
【００２４】
床構造体１１ｃは、原子炉格納容器１０内のフロア１０ｆとテンポラリーブリッジ１３とを面一に接続する構造体であり、テンポラリーブリッジ１３と面一に接続される床面１１ｄと、テンポラリーブリッジ１３との接続部を形成する段差部１１ｅと、を有している。なお、原子炉建屋９６の開口部９６ｅに形成された床面９６ｆとテンポラリーブリッジ１３とを接続するテンポラリーブリッジ（図示せず）は、一般に、原子炉建屋９６側に配置されており、ハッチ１には常設されていない。
【００２５】
ハッチカバー１２は、トンネル部１１の本体部１１ａと一致する形状の筒部１２ａと、筒部１２ａの開口を塞ぐように配置される蓋部１２ｂと、とから構成される鏡板構造を有している。トンネル部１１の本体部１１ａとハッチカバー１２との間には、リング状のシール（図示せず）が配置されており、原子炉格納容器１０内の空気が外部に漏れないようにしている。かかるハッチカバー１２は、昇降機（図示せず）によって吊り上げられて、上下又は左右に移動できるように構成されている。そして、ハッチ１を開放する場合には、ハッチカバー１２は、トンネル部１１の開口と干渉しない位置に移動される。
【００２６】
テンポラリーブリッジ１３は、図２（ｂ）及び図３（ａ）に示したように、トンネル部１１の床構造体１１ｃの端面の両端部に、トンネル部１１側に延びるように形成された一対のアーム部１３ａを有する。このアーム部１３ａは、リンク部材２とピン結合等により回動可能に連結され、第一ヒンジ部２１を構成する。なお、図２（ｂ）においてはテンポラリーブリッジ１３を架設した状態を図示しており、図３（ａ）ではテンポラリーブリッジ１３を収容途中でロックした状態を図示している。
【００２７】
リンク部材２は、図２（ｂ）及び図３（ａ）に示したように、テンポラリーブリッジ１３とトンネル部１１の床構造体１１ｃとを連結する部材である。床構造体１１ｃの段差部１１ｅには、リンク部材２とピン結合等により回動可能に連結される支持部１１ｆが立設されている。この支持部１１ｆは、リンク部材２と連結されることにより、第二ヒンジ部２２を構成する。リンク部材２は、アーム部１３ａと支持部１１ｆとに連結される略板状部材であり、上部には床面１１ｄと面一となる表面板が配置されていてもよいし、必要に応じて補強材が配置されていてもよい。かかる構成により、テンポラリーブリッジ１３は、二つのヒンジ部（第一ヒンジ部２１及び第二ヒンジ部２２）を有するリンク部材２を介して、トンネル部１１（床構造体１１ｃ）に連結され、図２（ａ）に示したように、テンポラリーブリッジ１３を折り畳んで床面１１ｄ上に横倒しすることができる。
【００２８】
ところで、テンポラリーブリッジ１３とトンネル部１１（床構造体１１ｃ）とを二つのヒンジ部（第一ヒンジ部２１及び第二ヒンジ部２２）を有するリンク部材２で連結したことにより、テンポラリーブリッジ１３の折り畳み時に、テンポラリーブリッジ１３の挙動が不安定となり、テンポラリーブリッジ１３の表面と床面１１ｄとが角部で接触したり、リンク部材２やヒンジ部（第一ヒンジ部２１及び第二ヒンジ部２２）に過度の応力が生じたりしてしまう可能性がある。
【００２９】
そこで、上述したハッチ１は、架設されたテンポラリーブリッジ１３をトンネル部１１側に折り畳んで横倒しにする途中で第二ヒンジ部２２の回動を拘束するロック機構３を有している。ロック機構３は、トンネル部１１に形成された挿通孔３１と、挿通孔３１に挿通されるロックピン３２と、を有し、ロックピン３２にリンク部材２を係止させるように構成されている。
【００３０】
具体的には、リンク部材２は、図２（ｂ）に示したように、ロックピン３２を挿通可能な挿通孔３３を有し、図３（ａ）に示したように、トンネル部１１の挿通孔３１とリンク部材２の挿通孔３３とが一致した状態で、ロックピン３２が両方の挿通孔３１，３３に挿通され、第二ヒンジ部２２の回動が拘束される。したがって、リンク部材２は、ロックされた状態で位置決めされ、テンポラリーブリッジ１３は第一ヒンジ部２１を中心に回動されることとなる。
【００３１】
すなわち、テンポラリーブリッジ１３の折り畳み時におけるテンポラリーブリッジ１３の挙動を安定させることができ、リンク部材２やヒンジ部（第一ヒンジ部２１及び第二ヒンジ部２２）にかかる負荷をロックピン３２で受けることができ、リンク部材２やヒンジ部（第一ヒンジ部２１及び第二ヒンジ部２２）の故障を低減することができる。
【００３２】
ロック機構３は、リンク部材２の回動を途中で停止させて、テンポラリーブリッジ１３のみをトンネル部１１の床構造体１１ｃ上に横倒しさせるものであることから、トンネル部１１の挿通孔３１は、リンク部材２の回動角度θが４５〜９０度の範囲内に収まる位置に形成される。回動角度θは、テンポラリーブリッジ１３が架設された状態を基準（０度）として計算される。また、トンネル部１１の挿通孔３１とリンク部材２の挿通孔３３とを一致させるために、リンク部材２が所定角度以上に回動できないようにするストッパを配置するようにしてもよい。例えば、リンク部材２を回動させると、その表面と床面１１ｄとが接触することによってストッパを形成するようにしてもよいし、段差部１１ｅやその側面部に別途ストッパを配置するようにしてもよい。
【００３３】
また、図３（ｂ）に示したように、ロックピン３２は、必ずしもリンク部材２に挿通する必要はなく、ロックピン３２の周面でリンク部材２の端面（例えば、下面）を係止するようにしてもよい。かかる構成によれば、第二ヒンジ部２２の原子炉格納容器１０側への回動を拘束することができ、回動した第二ヒンジ部２２の戻り分が生じないように拘束することができ、図３（ａ）に示した第一実施形態と実質的に同様の効果を有する。
【００３４】
なお、上述したアーム部１３ａ、リンク部材２及び支持部１１ｆの位置関係は、図示した構成に限定されるものではなく、例えば、テンポラリーブリッジ１３の幅方向の内側から外側に向かって、支持部１１ｆ、リンク部材２、アーム部１３ａの順に連結されていてもよいし、支持部１１ｆを省略して床面１１ｄの下部構造体（梁部材）にリンク部材２を回動可能に直接連結するようにしてもよい。
【００３５】
上述した本実施形態に係る原子炉格納容器のハッチ構造（ハッチ１）によれば、二つのヒンジ部（第一ヒンジ部２１及び第二ヒンジ部２２）を有するリンク部材２を介してトンネル部１１とテンポラリーブリッジ１３とを接続した場合であっても、ロック機構３を配置することにより、一方のヒンジ部（第二ヒンジ部２２）を拘束することができ、テンポラリーブリッジ１３を他方のヒンジ部（第一ヒンジ部２１）を基準にして容易に折り畳むことができ、テンポラリーブリッジ１３をトンネル部１１の床面１１ｄ上に横倒しすることができる。したがって、テンポラリーブリッジ１３の収容時における傾倒を防止することができるとともに、テンポラリーブリッジ１３の収容を容易に行うことができる。
【００３６】
次に、上述したテンポラリーブリッジ１３の収容方法及び架設方法について、図４及び図５を参照しつつ説明する。ここで、図４は、テンポラリーブリッジの収容手順を示す図であり、（ａ）は第一工程、（ｂ）は第二工程、（ｃ）は第三工程、（ｄ）は第四工程、（ｅ）は第五工程、を示している。図５は、テンポラリーブリッジの架設手順を示す図であり、（ａ）は第一工程、（ｂ）は第二工程、（ｃ）は第三工程、（ｄ）は第四工程、（ｅ）は第五工程、を示している。なお、上述した第一実施形態の構成部品と共通する部品については、同じ符号を付して重複した説明を省略する。
【００３７】
図５及び図６に示したテンポラリーブリッジ１３の収容時及び架設時には、テンポラリーブリッジ１３を吊り上げ可能な揚重手段４を使用する。揚重手段４は、例えば、トンネル部１１の天井部に配置されたチェーンブロック４１と、チェーンブロック４１に掛け回されるとともに一端がテンポラリーブリッジ１３の先端部に接続され他端に操作部４２ａを有するチェーン４２と、を備えている。
【００３８】
なお、揚重手段４は、かかる構成に限定されるものではなく、数トンの重量を有するテンポラリーブリッジ１３を吊り上げ又は持ち上げて反転可能な構成であれば、小型クレーンやホイスト等であってもよいし、チェーンブロック４１等の揚重手段４をトンネル部１１の軸方向に移動可能となるように、レールやトロリを配置するようにしてもよい。
【００３９】
まず、テンポラリーブリッジ１３の収容手順について説明する。図５（ａ）に示した第一工程は、テンポラリーブリッジ１３を架設した状態を図示している。このとき、ハッチカバー１２は取り外されており、トンネル部１１と原子炉格納容器１０とが連通した状態となっている。なお、テンポラリーブリッジ１３は、フロア１０ｆの側面に固定された支持フレーム１０ｃにより水平状態が維持されており、フロア１０ｆと面一の状態を形成している。また、トンネル部１１の本体部１１ａの天井部にはチェーンブロック４１が配置されている。このチェーンブロック４１は、常時、天井部に接続したままにしておいてもよいし、機器搬入の邪魔になるようであれば、テンポラリーブリッジ１３の収容時に接続するようにしてもよい。
【００４０】
図５（ｂ）に示した第二工程は、チェーン４２をテンポラリーブリッジ１３の先端部に接続して片側を吊り上げる工程である。チェーン４２は、例えば、テンポラリーブリッジ１３の両側面部に形成された開口部にフックを係合させることによって、テンポラリーブリッジ１３の先端部に接続される。操作部４２ａは、環状に形成されたチェーン４２の一部を操作してチェーンブロック４１の歯車を回転させる機械式のものであってもよいし、巻き上げスイッチ等を有する電動式のものであってもよい。この揚重手段４は、原子炉格納容器１０内に進入した作業員によって操作される。
【００４１】
図５（ｃ）に示した第三工程は、第二ヒンジ部２２をロックする工程である。具体的には、揚重手段４により、テンポラリーブリッジ１３を略垂直に吊り上げた状態で、トンネル部１１に形成された挿通孔３１とリンク部材２に形成された挿通孔３３とを一致させ、挿通孔３１，３３にロックピン３２を挿通し、リンク部材２をトンネル部１１（床構造体１１ｃ）に固定する。このように、ロック機構３を作用させることにより、第二ヒンジ部２２の回動を拘束することができ、第一ヒンジ部２１を基準にしてテンポラリーブリッジ１３を回動させることができる。なお、ロックピン３２は、作業員が持ち運ぶようにしてもよいし、トンネル部１１（床構造体１１ｃ）に鎖等の連結部材により固定して紛失しないようにしてもよい。
【００４２】
図５（ｄ）に示した第四工程は、ロックされたリンク部材２に対して、テンポラリーブリッジ１３を床構造体１１ｃ側に相対的に回動させて、テンポラリーブリッジ１３を折り畳む工程である。このとき、第二ヒンジ部２２は、ロック機構３により拘束されていることから、リンク部材２は図示した状態を維持し、チェーン４２を送り出すことによって、テンポラリーブリッジ１３の自重を利用しつつテンポラリーブリッジ１３を第一ヒンジ部２１で回動させることができる。
【００４３】
図５（ｅ）に示した第五工程は、テンポラリーブリッジ１３の収容が完了した状態を図示している。第四工程において、揚重手段４を操作することにより、最終的にテンポラリーブリッジ１３は、第一ヒンジ部２１を中心に表裏反転した状態となり、トンネル部１１の床構造体１１ｃ上に載置される。さらに、チェーン４２を弛めて緊張状態を解くことによって、テンポラリーブリッジ１３の重量は床構造体１１ｃに預けられ、安定した状態となる。このように、テンポラリーブリッジ１３をトンネル部１１の床面１１ｄ上に横倒しにすることによって、テンポラリーブリッジ１３の収容時における傾倒を防止することができる。
【００４４】
その後、トンネル部１１には、ハッチカバー１２が接続されて密封される。このとき、テンポラリーブリッジ１３は、次にハッチカバー１２を開放するまで使用することがないことから、揚重手段４（チェーンブロック４１及びチェーン４２）は、トンネル部１１及びテンポラリーブリッジ１３に接続した状態のまま放置される。
【００４５】
続いて、テンポラリーブリッジ１３の架設手順について説明する。図６（ａ）に示した第一工程は、テンポラリーブリッジ１３を収容した状態を図示している。このとき、ハッチカバー１２は取り外されており、トンネル部１１と原子炉格納容器１０とが連通した状態となっている。また、上述したように揚重手段４は、トンネル部１１及びテンポラリーブリッジ１３に接続した状態のまま放置されていることから、操作部４２ａを操作することによって、すぐに架設作業に取りかかることができる。
【００４６】
図６（ｂ）に示した第二工程は、チェーン４２を巻き上げてテンポラリーブリッジ１３を吊り上げる工程である。このとき、リンク部材２はロック機構３によりロックされた状態であることから、テンポラリーブリッジ１３は第一ヒンジ部２１を中心に回動することとなる。
【００４７】
図６（ｃ）に示した第三工程は、第二ヒンジ部２２のロックを解除する工程である。具体的には、揚重手段４により、テンポラリーブリッジ１３を略垂直に吊り上げた状態で、ロックピン３２を挿通孔３１，３３から引き抜く。かかる操作により、リンク部材２のロック状態が解除され、リンク部材２は第二ヒンジ部２２を中心に回動可能となる。なお、ロック機構３の解除は、図６（ａ）に示した第一工程で行うようにしてもよい。
【００４８】
図６（ｄ）に示した第四工程は、揚重手段４を操作してテンポラリーブリッジ１３を支持フレーム１０ｃに係止させる工程である。このとき、リンク部材２のロック機構３は解除されていることから、チェーン４２を送り出すだけで、テンポラリーブリッジ１３は自重により第一ヒンジ部２１及び第二ヒンジ部２２を中心に回動し、リンク部材２及びテンポラリーブリッジ１３の表面が原子炉格納容器１０内のフロア１０ｆと面一となるように移動させることができる。
【００４９】
図６（ｅ）に示した第五工程は、テンポラリーブリッジ１３の架設が終了した状態を図示している。このとき、チェーン４２が接続されたままであると、機器搬入の際に邪魔になる可能性があることから、チェーン４２のフックをテンポラリーブリッジ１３から取り外しておくようにしてもよい。テンポラリーブリッジ１３から取り外されたチェーン４２は、例えば、チェーンブロック４１に巻き上げておくようにすればよい。なお、機器搬入の際にチェーンブロック４１も邪魔になるようであれば、チェーンブロック４１をトンネル部１１の天井部から取り外しておくようにしてもよい。
【００５０】
上述したテンポラリーブリッジ１３の収容手順及び架設手順によれば、揚重手段４は、テンポラリーブリッジ１３の収容時にはチェーン４２の緊張を解いた状態で放置され、テンポラリーブリッジ１３の架設時にはテンポラリーブリッジ１３から取り外されるように構成されていることとなる。このように、テンポラリーブリッジ１３の架設及び収容を行う揚重手段４を配置して、テンポラリーブリッジ１３を操作することにより、テンポラリーブリッジ１３が重量物の場合であっても、テンポラリーブリッジ１３の架設及び収容を容易に行うことができる。
【００５１】
本発明は上述した実施形態に限定されず、例えば、機器搬入用のハッチ構造以外のハッチ（例えば、作業員用のハッチ）にも適用することができる等、本発明の趣旨を逸脱しない範囲で種々変更が可能であることは勿論である。
【符号の説明】
【００５２】
１  ハッチ
２  リンク部材
３  ロック機構
４  揚重手段
１０  原子炉格納容器
１０ｆ  フロア
１１  トンネル部
１２  ハッチカバー
１３  テンポラリーブリッジ
２１  第一ヒンジ部
２２  第二ヒンジ部
３１，３３  挿通孔
３２  ロックピン
４１  チェーンブロック
４２  チェーン
４２ａ  操作部
【図１】
0005880845.tif 000002
【図２】
0005880845.tif 000003
【図３】
0005880845.tif 000004
【図４】
0005880845.tif 000005
【図５】
0005880845.tif 000006